(57)【特許請求の範囲】
【請求項１】
支柱の上端部に連結ブラケットを備え、前記連結ブラケットを介して前記支柱の上端部に笠木を取り付けてなるフェンスまたは手摺りにおいて、
前記連結ブラケットは、前記支柱の上端面に固定されるベース部と、前記ベース部の縁部から上方に向けて突出した後に屈曲し、当該屈曲端部に挿通孔を有した連結部と、前記連結部の両側となる部位に前記ベース部から上方に向けて突出した支持部とを有したものであり、
前記笠木は、前記連結ブラケットの連結部に載置させた場合に前記笠木の最下部を前記支柱の上端面よりも上方に位置させる取付面と、前記取付面の両側となる部分において前記取付面よりも下方に位置し、前記支持部の突出端面に当接する当接面とを有し、
前記連結ブラケットと前記笠木との間には、前記挿通孔を介して螺合することにより、前記取付面に対する前記連結部の相対移動を阻止するネジ部材を設けたことを特徴とするフェンスまたは手摺り。
【請求項２】
前記笠木は、長手に直交する端面において左右の中心となる部分に前記取付面を有したことを特徴とする請求項１に記載のフェンスまたは手摺り。
【請求項３】
前記笠木は、両端面が開口した中空状を成し、下方部に下方に向けて開口する凹溝を有するとともに、前記凹溝を構成する側壁部分から互いに対向するように突出した取付条片部を有し、前記取付条片部の下面を前記取付面として前記連結ブラケットの連結部に当接するものであり、
前記笠木の凹溝において前記取付条片部よりも上方となる部位には、前記取付条片部の上面に当接し、前記凹溝の長手に沿ってスライド可能となる裏板部材を配設し、
前記ネジ部材は、前記裏板部材と前記連結部との間に前記取付条片部を挟持するように、前記連結部の挿通孔を介して前記裏板部材に螺合したものであることを特徴とする請求項１に記載のフェンスまたは手摺り。
【請求項４】
前記笠木は、長手に直交する端面において左右の中心となる部分に前記凹溝有したことを特徴とする請求項３に記載のフェンスまたは手摺り。
【請求項５】
前記支柱は、横断面が筒状を成すものであり、
前記連結ブラケットのベース部は、少なくとも前記連結部を設ける縁部分を前記支柱の側面よりも外方に突出させたことを特徴とする請求項１に記載のフェンスまたは手摺り。
【発明の詳細な説明】
【技術分野】
【０００１】
本発明は、支柱の上端部に連結ブラケットを介して笠木を取り付けてなるフェンスまたは手摺りに関するものである。
【背景技術】
【０００２】
フェンスや手摺りにおいて支柱の上端部に笠木を架け渡すように配設する場合には、連結ブラケットを介して行うのが一般的である。連結ブラケットは、支柱の上端面に固定されるベース部と、ベース部の両側縁部から上方に向けて突出した後、互いに離反する方向に屈曲した連結部とを有したものが適用されている。この連結ブラケットを適用した場合には、連結部の挿通孔を介して笠木の下面にネジ部材を螺合することにより、支柱と笠木との間を連結することが可能になる（例えば、特許文献１参照）。
【先行技術文献】
【特許文献】
【０００３】
【特許文献１】特開２０１０−２０３０４１号公報
【発明の概要】
【発明が解決しようとする課題】
【０００４】
ところで、フェンスや手摺りでは、支柱の相互間に横桟や面材を配設する場合がある。笠木の下端部が支柱よりも大きな幅を有していれば、笠木の長手に対して連結部が直交する姿勢で支柱に連結ブラケットを取り付けることにより、横桟や面材に邪魔されることなく連結部の挿通孔を介して笠木の下面にネジ部材を螺合させることが可能である。
【０００５】
しかしながら、笠木の下端部が支柱に対して同等もしくはそれ以下の幅しかない場合には、連結部が笠木の長手に沿う姿勢で支柱に連結ブラケットを取り付けせざるを得ないため、支柱の相互間でネジ部材を螺合する作業を行う必要がある。従って、横桟や面材が支柱の上端部に配設されている場合には、ネジ部材を螺合させるための作業スペースを確保することができず、笠木を取り付けることが困難となる。
【０００６】
本発明は、上記実情に鑑みて、支柱に対する笠木の寸法に関わらず、取り付け作業を容易、かつ確実に行うことのできるフェンスまたは手摺りを提供することを目的とする。
【課題を解決するための手段】
【０００７】
上記目的を達成するため、本発明に係るフェンスまたは手摺りは、支柱の上端部に連結ブラケットを備え、前記連結ブラケットを介して前記支柱の上端部に笠木を取り付けてなるフェンスまたは手摺りにおいて、前記連結ブラケットは、前記支柱の上端面に固定されるベース部と、前記ベース部の縁部から上方に向けて突出した後に屈曲し、当該屈曲端部に挿通孔を有した連結部と、前記連結部の両側となる部位に前記ベース部から上方に向けて突出した支持部とを有したものであり、前記笠木は、前記連結ブラケットの連結部に載置させた場合に前記笠木の最下部を前記支柱の上端面よりも上方に位置させる取付面と、前記取付面の両側となる部分において前記取付面よりも下方に位置し、前記支持部の突出端面に当接する当接面とを有し、前記連結ブラケットと前記笠木との間には、前記挿通孔を介して螺合することにより、前記取付面に対する前記連結部の相対移動を阻止するネジ部材を設けたことを特徴とする。
【０００８】
この発明によれば、連結ブラケットの連結部に笠木の取付面を載置させた際に支柱の上端から笠木の最下部までの間に隙間を確保することができるため、支柱の相互間に横桟や面材が配設された状況下であっても、この隙間を作業スペースとしてネジ部材を螺合する作業を行うことが可能となる。
【００１０】
この発明によれば、取付面の両側となる部分に連結ブラケットの支持部が当接する当接面を設けるようにしているため、笠木と連結ブラケットとの当接幅を大きく確保することができ、例えば長手の軸を中心として笠木を回転させようとする外力が加えられた場合にも、当接面と支持部とが当接することでこれに抗することができるようになる。
【００１１】
また本発明は、上述したフェンスまたは手摺りにおいて、前記笠木は、長手に直交する端面において左右の中心となる部分に前記取付面を有したことを特徴とする。
【００１２】
この発明によれば、取付面が左右の中心となる部分にあるため、外力に抗する力を左右均等にすることができる。
【００１３】
また本発明は、上述したフェンスまたは手摺りにおいて、前記笠木は、両端面が開口した中空状を成し、下方部に下方に向けて開口する凹溝を有するとともに、前記凹溝を構成する側壁部分から互いに対向するように突出した取付条片部を有し、前記取付条片部の下面を前記取付面として前記連結ブラケットの連結部に当接するものであり、前記笠木の凹溝において前記取付条片部よりも上方となる部位には、前記取付条片部の上面に当接し、前記凹溝の長手に沿ってスライド可能となる裏板部材を配設し、前記ネジ部材は、前記裏板部材と前記連結部との間に前記取付条片部を挟持するように、前記連結部の挿通孔を介して前記裏板部材に螺合したものであることを特徴とする。
【００１４】
この発明によれば、笠木の取付条片部を裏板部材と連結ブラケットの連結部との間に挟持するようにしているため、笠木の任意の位置に支柱を配置することができる。
【００１５】
また本発明は、上述したフェンスまたは手摺りにおいて、前記笠木は、長手に直交する端面において左右の中心となる部分に前記凹溝有したことを特徴とする。
【００１６】
この発明によれば、凹溝が左右の中心となる部分にあるため、ネジ部材を螺合する以前においても、笠木を連結ブラケットの連結部に載置させた際に安定させることができる。
【００１７】
また本発明は、上述したフェンスまたは手摺りにおいて、前記支柱は、横断面が筒状を成すものであり、前記連結ブラケットのベース部は、少なくとも前記連結部を設ける縁部分を前記支柱の側面よりも外方に突出させたことを特徴とする。
【００１８】
この発明によれば、連結ブラケットの連結部が支柱の上端面よりも外周となる部分で上方に向けて屈曲するため、ベース部によって支柱の端面を確実に閉塞することができ、支柱の筒内部に水が浸入する事態を防止することができる。
【発明の効果】
【００１９】
本発明によれば、連結ブラケットの連結部に笠木の取付面を載置させた際に支柱の上端から笠木の最下部までの間に隙間を確保することができるため、支柱の相互間に横桟や面材が配設された状況下であっても、この隙間を作業スペースとしてネジ部材を螺合する作業を行うことが可能となる。従って、笠木の下端部が支柱に対して同等もしくはそれ以下の幅しかない場合にも笠木の取り付け作業を容易に行うことができる。
【図面の簡単な説明】
【００２０】
【図１】図１は、本発明の実施の形態であるフェンスの正面図である。
【図２】図２は、図１に示したフェンスを構成する支柱及び横桟の分解斜視図である。
【図３】図３は、図１に示したフェンスに適用する支柱及び連結ブラケットの分解斜視図である。
【図４】図４は、図１に示したフェンスに適用する支柱、連結ブラケット及び笠木の分解斜視図である。
【図５】図５は、図１に示したフェンスの要部拡大縦断面側面図である。
【図６】図６は、図１に示したフェンスの要部拡大縦断面正面図である。
【図７】図７は、図１に示したフェンスの変形例に適用する支柱及び連結ブラケットの分解斜視図である。
【図８】図８は、図１に示したフェンスの変形例の要部分解斜視図である。
【発明を実施するための形態】
【００２１】
以下、添付図面を参照しながら本発明に係るフェンスまたは手摺りの好適な実施の形態について詳細に説明する。図１は、本発明の実施の形態であるフェンスを示したものである。ここで例示するフェンスは、屋外に設けたデッキＤの周縁部上面に設けられるもので、互いに並設した支柱１０の相互間に横桟２０及び笠木３０を設けることによって構成してある。
【００２２】
支柱１０は、アルミニウム合金等の金属によって成形した押し出し形材であり、図２及び図３に示すように、横断面が矩形の筒状に構成してある。支柱１０の四隅部には、それぞれ長手方向に沿ってビスホール１１が設けてある。支柱１０の長手とは、図３中の矢印Ａで示すように、成形時の押し出し方向に一致する方向である。上述の支柱１０は、図１及び図２に示すように、下端面に取り付けたベースプレート１２を介してデッキＤの周縁部に適宜間隔を確保して複数並設してある。
【００２３】
横桟２０は、図２に示すように、幅の狭い平板状を成すもので、同一形状のものをアタッチメント２１に複数並設することによって１枚のパネル状に構成してある。横桟２０の相互間には、適宜な間隔が確保してある。これらの横桟２０は、アタッチメント２１を介して支柱１０の側面に取付ネジ２２を螺合することにより、図１に示すように、支柱１０の相互間を覆い隠すように支柱１０に取り付けられることになる。最上位に位置する横桟２０は、その上面２０ａが支柱１０の上端とほぼ同じ高さとなるように配置してある反面、最下位に位置する横桟２０は、その下面２０ｂがベースプレート１２の上面よりも上方となる位置に配置してある。
【００２４】
笠木３０は、支柱１０と同様、アルミニウム合金等の金属によって成形した押し出し形材であり、長手方向の全長にわたってほぼ一様な断面形状を有している。笠木３０の長手とは、図４中の矢印Ｂで示すように、成形時の押し出し方向に一致する方向である。本実施の形態では、図４及び図５に示すように、長手に直交する端面において、下方部に支持台部３０Ａを有するとともに、上方部に手摺り部３０Ｂを有し、左右が対称形状となるように構成した中空状の笠木３０を例示している。
【００２５】
支持台部３０Ａは、水平方向に沿って延在する下方当接壁部３０Ａ１と、下方当接壁部３０Ａ１の両側からそれぞれ上方に延在した下方側壁部３０Ａ２とを有したものである。本実施の形態で適用する笠木３０では、下方側壁部３０Ａ２の幅ｄ１が支柱１０の幅ｄ２よりも小さい寸法に構成してある。下方当接壁部３０Ａ１の下端面中央部には、係合用凹溝３０Ａ３が設けてある。係合用凹溝３０Ａ３は、下方に向けて開口する凹所であり、両側内壁面の互いに対向する部位に取付条片部３０Ａ４を有している。取付条片部３０Ａ４は、平坦な薄板状部分であり、互いの先端面間に隙間を確保した状態で下方当接壁部３０Ａ１とほぼ平行となるように突設してある。
【００２６】
手摺り部３０Ｂは、下方側壁部３０Ａ２の延在端部からそれぞれ互いに離反する方向に延在した上方底壁部３０Ｂ１と、個々の上方底壁部３０Ｂ１の延在端部からそれぞれ上方に延在した上方側壁部３０Ｂ２と、上方側壁部３０Ｂ２の延在端部間を互いに連結するように設けた上壁部３０Ｂ３とを有したものである。上方底壁部３０Ｂ１は、下方当接壁部３０Ａ１とほぼ平行となるように延在し、上方側壁部３０Ｂ２は、下方側壁部３０Ａ２とほぼ平行となるように延在している。上壁部３０Ｂ３は、上方に向けて凸となるようにわずかに湾曲した形状を有している。
【００２７】
上述の笠木３０は、連結ブラケット４０を介して支柱１０の上端部間に架け渡すように配設してある。連結ブラケット４０は、ステンレスや鋼材等の金属薄板を曲げ加工することによって構成したもので、図３に示すように、ベース部４１、支持部４２及び連結部４３を有している。
【００２８】
ベース部４１は、支柱１０の端面よりもわずかに大きな外形に構成した略矩形の平板状を成す部分であり、支柱１０のビスホール１１に対応する部位にそれぞれネジ挿通孔４１ａを有している。連結ブラケット４０は、ベース部４１のネジ挿通孔４１ａを介してビスホール１１に取付ネジ４４を螺合することにより、支柱１０の上端面に取り付けられる。図には明示していないが、支柱１０の上端面とベース部４１との間には、ベース部４１の下面４１ｂ全面を覆うようにシート状の止水材４５が介在させてある。
【００２９】
支持部４２は、笠木３０の下方当接壁部３０Ａ１とほぼ同じ幅を有する平板状部分であり、ベース部４１の互いに平行となる縁部から上方に向けて突出している。図３、図４及び図６に示すように、ベース部４１において支持部４２を設ける２つの縁部は、支柱１０の上端面よりもわずかに外方に突出している。従って、ベース部４１に対して支持部４２を曲げ加工した場合にも、曲げ加工の影響がベース部４１において支柱１０の上端に対向する部位に及ぶことはなく、ベース部４１の平坦な部分によって支柱１０の上端面を確実に閉塞することが可能となる。これにより、ベース部４１と支柱１０の上端面との間から支柱１０の内部に雨水等の水が浸入するおそれがない。支持部４２の突出端面４２ａは、ベース部４１の下面４１ｂとの間の距離ｈ１が、スパナ等の工具を挿入することのできる寸法以上となるように設定してある。
【００３０】
連結部４３は、支持部４２の上端中央部から上方に突出した後、互いに離反する方向に向けてほぼ水平となるように屈曲した部分である。連結部４３の幅は、笠木３０の係合用凹溝３０Ａ３に挿入可能、かつ取付条片部３０Ａ４の相互間隔よりも大きな寸法に設定してある。支持部４２からの連結部４３の突出寸法ｈ２は、笠木３０において下方当接壁部３０Ａ１の当接下面（当接面）３０Ａ５から取付条片部３０Ａ４の取付下面（取付面）３０Ａ６までの距離ｈ３とほぼ等しくなるように構成してある。連結部４３の先端部には、それぞれ上下方向に沿って挿通孔４３ａが設けてある。
【００３１】
上述の連結ブラケット４０を介して笠木３０を取り付けるには、笠木３０の係合用凹溝３０Ａ３において取付条片部３０Ａ４よりも上方となる位置に裏板部材５０を挿入するとともに、連結ブラケット４０の連結部４３をそれぞれ取付条片部３０Ａ４の取付下面３０Ａ６に当接させる。裏板部材５０は、ステンレスや鋼材等の金属によって形成した平板状部材である。この裏板部材５０は、連結部４３と同等の幅を有し、かつ連結ブラケット４０において一方の連結部４３から他方の連結部４３にわたる長さを有したもので、笠木３０に対して長手方向に沿ってスライドすることが可能である。裏板部材５０には、個々の連結部４３の挿通孔４３ａに対応する部位にネジ孔５０ａが設けてある。従って、連結部４３の挿通孔４３ａを介して裏板部材５０のネジ孔５０ａにそれぞれ取付ネジ（ネジ部材）５１を螺合させれば、笠木３０の取付条片部３０Ａ４がこれら連結部４３及び裏板部材５０の間に挟持された状態となり、支柱１０に対する笠木３０の相対移動が阻止される。具体的には、支柱１０に対して笠木３０が長手方向に沿って移動したり、支柱１０に対して笠木３０が上方に移動することがなく、笠木３０が支柱１０に取り付けられた状態となる。
【００３２】
ここで、笠木３０を連結ブラケット４０の連結部４３に載置させた場合には、笠木３０の最下部、つまり下方当接壁部３０Ａ１の当接下面３０Ａ５と支柱１０の上端面との間にスパナ等の工具を挿入することのできる寸法が確保される。従って、図６に示すように、支柱１０の相互間に取り付けた横桟２０の最上面２０ａとの間にもスパナ等の工具を挿入することのできる隙間が確保された状態にあり、この隙間を作業スペースとして工具を操作することにより、連結部４３の挿通孔４３ａを介して裏板部材５０のネジ孔５０ａに取付ネジ５１を螺合させる作業を容易に行うことが可能である。
【００３３】
しかも、上述のフェンスでは、笠木３０において取付条片部３０Ａ４の取付下面３０Ａ６が連結ブラケット４０における連結部４３の上面に当接し、かつ笠木３０において下方当接壁部３０Ａ１の当接下面３０Ａ５が連結ブラケット４０における支持部４２の突出端面４２ａに当接した状態となる。従って、笠木３０と連結ブラケット４０との当接幅を大きく確保することができ、例えば長手の軸を中心として笠木３０を回転させようとする外力が加えられた場合にも、下方当接壁部３０Ａ１の当接下面３０Ａ５と支持部４２とが当接することでこれに抗することができるようになる。
【００３４】
また、上述のフェンスによれば、図１に示すように、支柱１０と笠木３０のと間には、連結ブラケット４０において支持部４２の板厚のみが外部に露出する構成となるため、複数の横桟２０から成るパネルに対して笠木３０があたかも宙に浮いたような軽快な印象を与えることができ、デザイン面でも有利となる。
【００３５】
なお、上述した実施の形態では、２つの支柱１０の相互間に横桟２０を設けたフェンスを例示しているが、横桟２０に換えてパネルやネットを配設するようにしたものであっても良い。また、横桟２０やパネル、ネットを省略することにより手摺りとして構成することも可能である。さらに、笠木３０の取付条片部３０Ａ４を裏板部材５０と連結ブラケット４０の連結部４３との間に挟持するようにしているため、笠木３０の任意の位置に支柱１０を配置することができるが、本発明は必ずしもこれに限定されない。例えば、連結ブラケット４０の連結部４３に設けた挿通孔４３ａを介して笠木３０の下面に直接取付ネジ５１を螺合するようにしても良い。なお、凹溝３０Ａ３を有する笠木３０を適用する場合に上述した実施の形態では長手に直交する端面において左右の中心となる部分に凹溝３０Ａ３及び取付面３０Ａ６を有したものを例示しているが、凹溝や取付面は必ずしも左右の中心となる部位にある必要はない。またさらに、支柱１０として断面が矩形状を成すものを例示しているが、円筒状を成す支柱を適用しても構わない。
【００３６】
また、上述した実施の形態では、連結ブラケット４０に支持部４２を設けるとともに、笠木３０に下方当接壁部３０Ａ１を設け、連結ブラケット４０の連結部４３に笠木３０の取付下面３０Ａ６を載置させた際に支持部４２に下方当接壁部３０Ａ１の当接下面３０Ａ５を当接させるようにしているが、必ずしも連結ブラケット４０に支持部４２を設ける必要はない。
【００３７】
さらに、上述した実施の形態では、２つの支柱１０の上端部間に笠木３０を架け渡すように配設したフェンスを例示しているが、コーナー部分を有したフェンスを構成する場合にも適用することが可能である。図７及び図８は、コーナー部分に適用した本発明の変形例を示したものである。この変形例では、２本の笠木３０が互いにほぼ直角に交差する部分に支柱１０を設けるようにしたフェンス（手摺り）の要部を示している。
【００３８】
図７に示すように、この変形例で適用する連結ブラケット１４０は、略矩形の平板状を成すベース部１４１の隣接する２つの縁部に支持部１４２及び連結部１４３を有したものである。支持部１４２及び連結部１４３の具体的な構成は、実施の形態と同様であるため省略する。また、ベース部１４１のネジ挿通孔１４１ａを介してビスホール１１に取付ネジ（ネジ部材）４４を螺合することにより連結ブラケット１４０が支柱１０の上端面に取り付けられる点、及びベース部１４１の下面全面を覆うようにシート状の止水材４５が設けてある点も実施の形態と同様である。
【００３９】
上述の連結ブラケット１４０を介して笠木３０を取り付けるには、図８に示すように、それぞれの笠木３０の係合用凹溝３０Ａ３において取付条片部３０Ａ４よりも上方となる位置に裏板部材１５０を挿入するとともに、連結ブラケット１４０の連結部１４３をそれぞれ取付条片部３０Ａ４の取付下面３０Ａ６に当接させる。変形例で適用する裏板部材１５０は、実施の形態と同様の板厚、板幅を有したものであるが、笠木３０の長手に沿った寸法が短く構成してある。また、ネジ孔１５０ａは、裏板部材１５０の一方の端部にのみ形成してある。
【００４０】
この状態から連結部１４３の挿通孔１４３ａを介して裏板部材１５０のネジ孔１５０ａに取付ネジ５１を螺合させれば、笠木３０の取付条片部３０Ａ４がこれら連結部１４３及び裏板部材１５０の間に挟持された状態となり、支柱１０に対する笠木３０の相対移動が阻止されることになる。さらに、この変形例においては、２つの笠木３０の開放端面の間にコーナー継手部材２００を配設するとともに、コーナー継手部材２００の下面に取り付けた連結金具２１０を介して笠木３０の下方当接壁部３０Ａ１にそれぞれ直接連結ネジ２２０を螺合するようにしている。
【００４１】
この変形例においても、笠木３０を連結ブラケット１４０の連結部１４３に載置させた場合には、笠木３０における下方当接壁部３０Ａ１の当接下面３０Ａ５と支柱１０の上端面との間にスパナ等の工具を挿入することのできる寸法が確保される。従って、支柱１０の相互間に横桟やパネル、ネット等が配設されている場合にも、この隙間を作業スペースとして工具を操作することにより、連結部１４３の挿通孔１４３ａを介して裏板部材１５０のネジ孔５０ａに取付ネジ５１を螺合させる作業を容易に行うことが可能である。
【符号の説明】
【００４２】
１０  支柱、３０  笠木、３０Ａ３  係合用凹溝、３０Ａ４  取付条片部、３０Ａ５  当接下面、３０Ａ６  取付下面、４０，１４０  連結ブラケット、４１，１４１  ベース部、４２，１４２  支持部、４２ａ  突出端面、４３，１４３  連結部、４３ａ，１４３ａ  挿通孔、５１  取付ネジ、５０，１５０  裏板部材
【図１】
0006613199.tif 000002
【図２】
0006613199.tif 000003
【図３】
0006613199.tif 000004
【図４】
0006613199.tif 000005
【図５】
0006613199.tif 000006
【図６】
0006613199.tif 000007
【図７】
0006613199.tif 000008
【図８】
0006613199.tif 000009